【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
遊戯用の撮影装置及びユーザーの携帯端末と通信する管理装置であって、
前記撮影装置により作成された画像データと、前記撮影装置に入力されたプレイ情報を受信する通信部と、
前記画像データと前記プレイ情報とを関連づけて記憶する記憶部と、
前記画像データの取得を試みるアクセスが所定期間内に行われない場合に、前記画像データに関連づけられた前記プレイ情報に基づいて、当該画像データのダウンロードを促すための所定の通知を実行する通知部と、を備える管理装置。
【請求項２】
前記プレイ情報には、前記携帯端末のアドレス情報が含まれ、
前記所定の通知は、前記画像データに関連づけられた前記アドレス情報に宛てて電子メールを送信する処理である請求項１に記載の管理装置。
【請求項３】
前記アドレス情報に基づいて前記ユーザーの会員種別を特定する制御部を更に備え、
前記通知部は、特定された会員種別に応じて異なる種類の前記通知を実行する請求項２に記載の管理装置。
【請求項４】
前記通知部は、特定された会員種別が低額会員である場合に、高額会員へのステップアップを促す表示を前記通知に含める請求項３に記載の管理装置。
【請求項５】
遊戯用の撮影装置及び当該撮影装置により作成された画像データの管理装置と通信する携帯端末であって、
前記管理装置が送信する前記画像データを受信する通信部と、
受信した前記画像データを前記携帯端末のユーザーに表示する表示部と、
前記画像データの取得を試みるアクセスが所定期間内に行われない場合に、当該画像データのダウンロードを促すための所定の通知を前記表示部に表示させる通知部と、を備える携帯端末。
【請求項６】
遊戯用の撮影装置と、ユーザーの携帯端末と、前記撮影装置により作成された画像データの管理装置とを備える、情報処理システムにおけるプッシュ通知方法であって、
前記管理装置又は前記携帯端末が、前記画像データの取得を試みるアクセスが所定期間内に行われていないか否かを判定する第１のステップと、
前記第１のステップの判定結果が肯定的である場合に、前記管理装置又は前記携帯端末が、前記画像データのダウンロードを促すための所定の通知を実行する第２のステップと、を含むプッシュ通知方法。
【手続補正２】
【補正対象書類名】明細書
【補正対象項目名】発明の名称
【補正方法】変更
【補正の内容】
【発明の名称】管理装置、携帯端末及びプッシュ通知方法
【手続補正３】
【補正対象書類名】明細書
【補正対象項目名】０００１
【補正方法】変更
【補正の内容】
【０００１】
本発明は、遊戯的な写真撮影のサービスを利用者に提供する遊戯用の撮影装置と、利用者の携帯端末と、画像データを管理する管理装置とを含む情報処理システムにおける、プッシュ通知方法に関する。また、本発明は、上記の情報処理システムの構成要素となる管理装置及び携帯端末に関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、かかる従来の問題点に鑑み、撮影装置の利用者（ユーザー）に画像データのダウンロードを確実に実行させるようにすることを目的とする。
【手続補正６】
【補正対象書類名】明細書
【補正対象項目名】０００８
【補正方法】変更
【補正の内容】
【０００８】
（１）  本発明は、遊戯用の撮影装置及びユーザーの携帯端末と通信する管理装置であって、前記撮影装置により作成された画像データと、前記撮影装置に入力されたプレイ情報を受信する通信部と、前記画像データと前記プレイ情報とを関連づけて記憶する記憶部と、前記画像データの取得を試みるアクセスが所定期間内に行われない場合に、前記画像データに関連づけられた前記プレイ情報に基づいて、当該画像データのダウンロードを促すための所定の通知を実行する通知部と、を備える。
【手続補正７】
【補正対象書類名】明細書
【補正対象項目名】０００９
【補正方法】変更
【補正の内容】
【０００９】
本発明の管理装置によれば、当該管理装置の通知部が、画像データの取得を試みるアクセスが所定期間内に行われない場合に、画像データに関連づけられたプレイ情報に基づいて、当該画像データのダウンロードを促すための所定の通知を実行するので、撮影装置のユーザーに画像データのダウンロードを確実に実行させることができる。
【手続補正８】
【補正対象書類名】明細書
【補正対象項目名】００１０
【補正方法】変更
【補正の内容】
【００１０】
（２）  本発明の管理装置において、前記プレイ情報に前記携帯端末のアドレス情報が含まれる場合には、前記所定の通知は、例えば、前記画像データに関連づけられた前記アドレス情報に宛てて電子メールを送信する処理よりなる。
【手続補正９】
【補正対象書類名】明細書
【補正対象項目名】００１１
【補正方法】変更
【補正の内容】
【００１１】
（３）  本発明の管理装置において、前記アドレス情報に基づいて前記ユーザーの会員種別を特定する制御部を更に備え、前記通知部は、特定された会員種別に応じて異なる種類の前記通知を実行することが好ましい。
このようにすれば、画像データのダウンロードの通知を会員種別に応じて適切に行うことができる。このため、管理装置に保存された画像データにアクセスを可能とするサービスを適切に運用することができる。
【手続補正１０】
【補正対象書類名】明細書
【補正対象項目名】００１２
【補正方法】変更
【補正の内容】
【００１２】
（４）  本発明の管理装置において、前記通知部は、特定された会員種別が低額会員である場合に、高額会員へのステップアップを促す表示を前記通知に含めることが好ましい。
その理由は、ダウンロードを促す通知に上記の表示を含めることにすれば、低額会員の利用者が高額会員にステップアップする処理を実行する可能性が増大し、画像データにアクセス可能とするサービスによる収益の拡大を期待できるからである。
【手続補正１１】
【補正対象書類名】明細書
【補正対象項目名】００１３
【補正方法】変更
【補正の内容】
【００１３】
（５）  本発明の携帯端末は、遊戯用の撮影装置及び当該撮影装置により作成された画像データの管理装置と通信する携帯端末であって、前記管理装置が送信する前記画像データを受信する通信部と、受信した前記画像データを前記携帯端末のユーザーに表示する表示部と、前記画像データの取得を試みるアクセスが所定期間内に行われない場合に、当該画像データのダウンロードを促すための所定の通知を前記表示部に表示させる通知部と、を備える。
【手続補正１２】
【補正対象書類名】明細書
【補正対象項目名】００１４
【補正方法】変更
【補正の内容】
【００１４】
本発明の携帯端末によれば、当該携帯端末の通知部が、画像データの取得を試みるアクセスが所定期間内に行われない場合に、当該画像データのダウンロードを促すための所定の通知を表示部に表示させるので、撮影装置のユーザーに画像データのダウンロードを確実に実行させることができる。
【手続補正１３】
【補正対象書類名】明細書
【補正対象項目名】００１５
【補正方法】変更
【補正の内容】
【００１５】
（６）  本発明に係る方法は、遊戯用の撮影装置と、ユーザーの携帯端末と、前記撮影装置により作成された画像データの管理装置とを備える、情報処理システムにおけるプッシュ通知方法であって、前記管理装置又は前記携帯端末が、前記画像データの取得を試みるアクセスが所定期間内に行われていないか否かを判定する第１のステップと、前記第１のステップの判定結果が肯定的である場合に、前記管理装置又は前記携帯端末が、前記画像データのダウンロードを促すための所定の通知を実行する第２のステップと、を含む。
【手続補正１４】
【補正対象書類名】明細書
【補正対象項目名】００１６
【補正方法】変更
【補正の内容】
【００１６】
本発明のプッシュ通知方法によれば、画像データの取得を試みるアクセスが所定期間内に行われていない場合（第１のステップの判定結果が肯定的である場合）に、管理装置又は携帯端末が、画像データのダウンロードを促すための所定の通知を実行するので、撮影装置のユーザーに画像データのダウンロードを確実に実行させることができる。
【手続補正１５】
【補正対象書類名】明細書
【補正対象項目名】００１７
【補正方法】変更
【補正の内容】
【００１７】
以上の通り、本発明によれば、撮影装置のユーザーに画像データのダウンロードを確実に実行させることができる。
【手続補正１６】
【補正対象書類名】明細書
【補正対象項目名】０１４９
【補正方法】変更
【補正の内容】
【０１４９】
上記の判定結果が肯定的である場合には、制御部８１は、更に、自装置から所定期間内に画像データのアクセスがなかったか否かを判定する（ステップＳ９２）。
上記の判定結果が肯定的である場合には、制御部８１は、画像データのダウンロードを促すプッシュ通知を表示部８４に表示させる（ステップＳ９３）。